(57)【要約】【課題】データの読取りが禁止されたデータ記録媒体に記録されたデータを読取る必要がある場合に対処できる記録媒体読取装置、記録媒体読取制御プログラム及び情報格納媒体を提供すること。【解決手段】データが記録されたデータ記録媒体と、データ記録媒体に付され、データ記録媒体の利用者にデータの読取りを許可するか否かを示す利用者情報が格納された情報格納媒体とを有するデータ記録体からデータを読取るデータ読取部１１５０と、利用者情報を読取る利用者情報読取部１１１０と、利用者を識別する利用者識別情報を取得する識別情報取得部１１２０と、利用者情報及び利用者識別情報に基づいてデータの読取りを許可するか否かの利用者判定を行う利用者判定部１１３０と、利用者判定の結果に基づいてデータ読取部１１５０を制御するデータ読取制御部１１４０と、を備える。【選択図】　図１
2004078666.tif 000002
【特許請求の範囲】
【請求項１】
データが記録されたデータ記録媒体と、前記データ記録媒体に付され、前記データ記録媒体の利用者に前記データの読取りを許可するか否かを示す利用者情報が格納された情報格納媒体とを有するデータ記録体から前記データを読取るデータ読取部と、
前記データ記録体から前記利用者情報を読取る利用者情報読取部と、
利用者を識別する利用者識別情報を取得する識別情報取得部と、
前記利用者情報及び前記利用者識別情報に基づいて前記データの読取りを許可するか否かの利用者判定を行う利用者判定部と、
前記利用者判定によって前記利用者によるデータの読取りが許可されていると判定された場合には、前記データ読取部に前記データを読取らせ、前記利用者判定によって前記利用者によるデータの読取りが許可されていないと判定された場合には、前記データ読取部に前記データを読取らせないように制御するデータ読取制御部と、を備えたことを特徴とする記録媒体読取装置。
【請求項２】
前記データ読取部によって読取られた読取データの処理を制御するデータ制御部を備え、
前記利用者情報が、前記データ制御部における前記読取りデータの処理の制御を示す出力制御情報をさらに含むようにしたことを特徴とする請求項１に記載の記録媒体読取装置。
【請求項３】
前記データ読取部によって読取られた読取データの処理を制御するデータ制御部を備え、
前記データ読取部が、複数の出力先の何れかに前記読取データを出力し、
前記利用者情報が、前記出力先に対応した前記データ制御部における前記読取データの処理の制御を示す出力制御情報をさらに含むようにしたことを特徴とする請求項１に記載の記録媒体読取装置。
【請求項４】
前記読取データを改変するデータ改変部を備え、
前記読取データを所定の出力先に出力する際に、前記出力制御情報が前記読取データの改変を示す場合には、前記データ制御部が、前記データ改変部によって前記読取データを改変するように制御するようにしたことを特徴とする請求項２又は請求項３に記載の記録媒体読取装置。
【請求項５】
前記読取データが画像データよりなり、
前記出力制御情報が前記画像データの色情報の改変を示す場合には、前記データ改変部が、前記画像データの色情報を改変するようにしたことを特徴とする請求項４に記載の記録媒体読取装置。
【請求項６】
前記読取データが画像データよりなり、
前記出力制御情報が前記画像データのサイズの改変を示す場合には、前記データ改変部が、前記画像データのサイズを改変するようにしたことを特徴とする請求項４又は請求項５に記載の記録媒体読取装置。
【請求項７】
データが記録されたデータ記録媒体に付され、前記データ記録媒体の利用者に前記データの読取りを許可するか否かを示す利用者情報が記録された情報格納媒体。
【請求項８】
前記利用者情報が、前記データ記録媒体から読取られた読取データの処理の制御を示す出力制御情報をさらに含むようにしたことを特徴とする請求項７に記載の情報格納媒体。
【請求項９】
データが記録されたデータ記録媒体と、前記データ記録媒体に付され、前記データ記録媒体の利用者に前記データの読取りを許可するか否かを示す利用者情報が格納された情報格納媒体とを有するデータ記録体から前記利用者情報を読取るステップと、
利用者を識別する利用者識別情報を取得するステップと、
前記利用者情報及び前記利用者識別情報に基づいて前記データの読取りを許可するか否かの利用者判定を行うステップと、
前記利用者判定によって前記利用者によるデータの読取りが許可されていると判定された場合には、前記データを読取るステップと、をコンピュータに実行させることを特徴とする記録媒体読取制御プログラム。
【発明の詳細な説明】
【０００１】
【産業上の利用分野】
本発明は、紙幣や有価証券等のデータ記録媒体の偽造を防止する記録媒体読取装置、記録媒体読取制御プログラム及び情報格納媒体に関するものである。
【０００２】
【従来の技術】
従来、紙幣や有価証券等のデータ記録媒体の偽造を防止する技術としては、紙幣や有価証券等のデータ記録媒体のデータを登録し、読取られたデータ記録媒体のデータが登録されたデータ記録媒体のデータであるか否かを判定し、読取られたデータ記録媒体のデータが登録されたデータ記録媒体のデータと類似している判定された場合には、読取られたデータ記録媒体の画像データに対する処理を停止又は禁止する技術が知られている。
【０００３】
例えば、特開平６−１０５１３６号公報では、紙幣や有価証券等の予め登録されたデータ記録媒体の画像データと読取られたデータ記録媒体の画像データとを比較して判定された類似度に応じて読取られたデータ記録媒体の画像データの処理を変更する技術が開示されている。
【０００４】
【発明が解決しようとする課題】
しかしながら、このような従来の技術では、登録されたデータ記録媒体に記録されたデータと類似したデータが記録された検出記録媒体よりデータの読取ることや、検出記録媒体から読取ったデータの処理が必ず停止又は禁止されるため、データの読取りが禁止されたデータ記録媒体に記録されたデータを読取る必要がある場合に対処できないという問題があった。
【０００５】
本発明は、このような問題を解決するためになされたもので、データの読取りが禁止されたデータ記録媒体に記録されたデータを読取る必要がある場合に対処できる記録媒体読取装置、記録媒体読取制御プログラム及び情報格納媒体を提供することを目的とする。
【０００６】
【課題を解決するための手段】
本発明の請求項１に係る記録媒体読取装置は、データが記録されたデータ記録媒体と、前記データ記録媒体に付され、前記データ記録媒体の利用者に前記データの読取りを許可するか否かを示す利用者情報が格納された情報格納媒体とを有するデータ記録体から前記データを読取るデータ読取部と、前記データ記録体から前記利用者情報を読取る利用者情報読取部と、利用者を識別する利用者識別情報を取得する識別情報取得部と、前記利用者情報及び前記利用者識別情報に基づいて前記データの読取りを許可するか否かの利用者判定を行う利用者判定部と、前記利用者判定によって前記利用者によるデータの読取りが許可されていると判定された場合には、前記データ読取部に前記データを読取らせ、前記利用者判定によって前記利用者によるデータの読取りが許可されていないと判定された場合には、前記データ読取部に前記データを読取らせないように制御するデータ読取制御部と、によって構成されている。
【０００７】
この構成により、データ記録体を構成する情報格納媒体に格納された利用者情報に基づいてデータ記録媒体に記録されたデータの読取りが禁止されるか否かが判定されるため、データの読取りが禁止されたデータ記録媒体に記録されたデータを読取る必要がある場合にも対処できる。
【０００８】
本発明の請求項２に係る記録媒体読取装置は、請求項１において、前記データ読取部によって読取られた読取データの処理を制御するデータ制御部を備え、前記利用者情報が、前記データ制御部における前記読取データの処理の制御を示す出力制御情報をさらに含むように構成されている。
【０００９】
この構成により、データの読取りが禁止されたデータ記録媒体に記録されたデータを読取る必要がある場合には、データ記録媒体から読取られたデータの処理を制御するため、読取り元のデータ記録媒体と識別可能にデータを読取ることができる。
【００１０】
本発明の請求項３に係る記録媒体読取装置は、請求項１において、前記データ読取部によって読取られた読取データの処理を制御するデータ制御部を備え、前記データ読取部が、複数の出力先の何れかに前記読取データを出力し、前記利用者情報が、前記出力先に対応した前記データ制御部における前記読取データの処理の制御を示す出力制御情報をさらに含むように構成されている。
【００１１】
この構成により、データの読取りが禁止されたデータ記録媒体に記録されたデータを読取る必要がある場合には、データ記録媒体から読取られたデータの処理を出力先に応じて制御するため、読取り元のデータ記録媒体と識別可能にデータを読取ることができる。
【００１２】
本発明の請求項４に係る記録媒体読取装置は、請求項２又は請求項３において、前記読取データを改変するデータ改変部を備え、前記読取データを所定の出力先に出力する際に、前記出力先に対応した前記出力制御情報が前記読取データの改変を示す場合には、前記データ制御部が、前記データを前記データ改変部によって改変するように制御するように構成されている。
【００１３】
この構成により、データの読取りが禁止されたデータ記録媒体に記録されたデータを読取る必要がある場合には、データ記録媒体から読取られたデータを改変するため、読取り元のデータ記録媒体と識別可能にデータを読取ることができる。
【００１４】
本発明の請求項５に係る記録媒体読取装置は、請求項４において、前記読取データが画像データよりなり、前記出力制御情報が前記画像データの色情報の改変を示す場合には、前記データ改変部が、前記画像データの色情報を改変するように構成されている。
【００１５】この構成により、データの読取りが禁止されたデータ記録媒体に記録された画像データを読取る必要がある場合には、データ記録媒体から読取られた画像データの色情報を改変するため、読取り元のデータ記録媒体と識別可能に画像データを読取ることができる。
【００１６】
本発明の請求項６に係る記録媒体読取装置は、請求項４において、前記読取データが画像データよりなり、前記出力制御情報が前記画像データのサイズの改変を示す場合には、前記データ改変部が、前記画像データのサイズを改変するように構成されている。
【００１７】
この構成により、データの読取りが禁止されたデータ記録媒体に記録された画像データを読取る必要がある場合には、データ記録媒体から読取られた画像データのサイズを改変するため、読取り元のデータ記録媒体と識別可能に画像データを読取ることができる。
【００１８】
本発明の請求項７に係る情報格納媒体は、データが記録されたデータ記録媒体に付され、前記データ記録媒体の利用者に前記データの読取りを許可するか否かを示す利用者情報が記録されるように構成されている。
【００１９】
この構成により、データの読取りが禁止されたデータ記録媒体に記録された画像データを読取る必要がある場合には、データの読取りを許可するか否かを示す利用者情報に基づいてデータの読取りが制御できるため、データの読取りが禁止されたデータ記録媒体に記録されたデータを読取る必要がある場合にも対処できる。
【００２０】
本発明の請求項８に係る情報格納媒体は、請求項７において、前記利用者情報が、前記データ記録媒体から読取られたデータの制御を示す出力制御情報をさらに含むように構成されている。
【００２１】
この構成により、データの読取りが禁止されたデータ記録媒体に記録されたデータを読取る必要がある場合には、データ記録媒体から読取られたデータの処理が制御できるため、読取り元のデータ記録媒体と識別可能にデータを読取らせることができる。
【００２２】
本発明の請求項９に係る記録媒体読取制御プログラムは、データが記録されたデータ記録媒体と、前記データ記録媒体に付され、前記データ記録媒体の利用者に前記データの読取りを許可するか否かを示す利用者情報が格納された情報格納媒体とを有するデータ記録体から前記利用者情報を読取るステップと、利用者を識別する利用者識別情報を取得するステップと、前記利用者情報及び前記利用者識別情報に基づいて前記データの読取りを許可するか否かの利用者判定を行うステップと、前記利用者判定によって前記利用者によるデータの読取りが許可されていると判定された場合には、前記データを読取るステップと、をコンピュータに実行させるように構成されている。
【００２３】
この構成により、データ記録体を構成する情報格納媒体に格納された利用者情報に基づいてデータ記録媒体に記録されたデータの読取りが禁止されるか否かが判定されるため、データの読取りが禁止されたデータ記録媒体に記録されたデータを読取る必要がある場合にも対処できる。
【００２４】
【発明の実施の形態】
以下、本発明の実施の形態を図面に基づいて説明する。
図２は、本発明に係るデータ記録体の概略を示す構成図である。
【００２５】
まず、図２（ａ）に基づいて、データ記録体について説明する。
データ記録体２００は、例えば書類であり、データ記録媒体２１０と、情報格納媒体２３０と、から構成されている。
【００２６】
データ記録媒体２１０は、紙であり、文字及び図柄等よりなる記録画像２２０が記録されている。
情報格納媒体２３０は、非接触電子回路チップ等によって構成され、データ記録媒体２１０に付され、暗号化された利用者情報等が格納されるようになっている。
【００２７】
ここで、利用者情報とは、利用者識別情報によって構成され、利用者識別情報とは、利用者の識別子、指紋及び網膜パターン等の個人を識別するための少なくとも１つの情報である。
このように、本発明に係るデータ記録体は、機密文書、紙幣及び有価証券等に適用できる。
【００２８】
次に、図２（ｂ）に基づいて、データ記録体について説明する。
データ記録体２５０は、例えばデータが格納されたＣＤ−ＲＯＭ（Ｃｏｍｐａｃｔ　Ｄｉｓｃ　Ｒｅａｄ　Ｏｎｌｙ　Ｍｅｍｏｒｙ）であり、データ記録媒体２５１と、情報格納媒体２５２と、から構成されている。
【００２９】
データ記録媒体２５１は、ＣＤ−ＲＯＭであり、図示しないデータが記録されている。
情報格納媒体２５２は、非接触電子回路チップ等によって構成され、データ記録媒体２５１に付され、暗号化された利用者情報等が格納されるようになっている。
【００３０】
このように、本発明に係るデータ記録体を構成するデータ記録媒体は、有価証券等を構成する紙類に限定されるものではなく、ＩＣカード、メモリカード及びプラスチックカード等の記録媒体にも適用できる。
【００３１】
（第１の実施の形態）
図１は、本発明の第１の実施の形態に係る記録媒体読取装置の構成を示すブロック図である。以下に説明する本発明の第１の実施の形態は、データ記録体２００の記録画像２２０を記録対象のデータ記録体に複写する複写機等の画像形成装置１０００を記録媒体読取装置１１００によって構成した例である。
【００３２】
画像形成装置１０００は、データ記録体２００から記録画像２２０を読取る記録媒体読取装置１１００と、読取られた画像データに基づいて記録対象となるデータ記録体に画像を記録する画像記録手段１２００と、から構成されている。
【００３３】
記録媒体読取装置１１００は、データ記録体２００から記録画像２２０を読取る装置であり、利用者情報読取部１１１０と、識別情報取得部１１２０と、利用者判定部１１３０と、データ読取制御部１１４０と、データ読取部１１５０と、から構成されている。
【００３４】
利用者情報読取部１１１０は、情報格納媒体２３０に格納された利用者情報を読取り、読取った利用者情報を利用者判定部１１３０に出力するようになっている。
【００３５】
識別情報取得部１１２０は、利用者識別情報を取得し、取得された利用者識別情報を利用者判定部１１３０に出力するようになっている。
例えば、識別情報取得部１１２０は、利用者識別情報として識別子を適用する場合には、ＩＤカードリーダー等によって構成され、利用者識別情報として指紋を適用する場合には、指紋検出器によって構成される。
【００３６】
利用者情報読取部１１１０によって出力された利用者情報及び識別情報取得部１１２０によって出力された利用者識別情報は、利用者判定部１１３０に入力されるようになっており、利用者判定部１１３０は、入力された利用者情報に利用者識別情報が含まれているか否かに基づいて利用者が記録画像２２０の読取りを許可する許可利用者か否かの利用者判定を行い、利用者判定の結果をデータ読取制御部１１４０に出力するようになっている。
【００３７】
図３は、利用者情報読取部１１１０が読込んだ利用者情報の構成例を示す概念図であり、利用者情報が、テーブル形式で管理されている例である。
図３（ａ）において、利用者情報は、行３１１、行３１２及び行３１３にそれぞれ収容された第１の利用者、第２の利用者及び第３の利用者を示す情報によって構成されている。この例では、第１の利用者、第２の利用者及び第３の利用者は、許可利用者であり、その他の利用者は、許可利用者ではないことを示している。
【００３８】
すなわち、利用者識別情報が第１の利用者を示す場合には、利用者判定の結果は、利用者が許可利用者であると示し、利用者識別情報が利用者情報に含まれていない第４の利用者を示す場合には、利用者判定の結果は、利用者が許可利用者でないと示す。
【００３９】
なお、利用者情報には、記録媒体読取装置１１００の識別子を含ませるようにしてもよい。この場合は、記録媒体読取装置１１００には、記録媒体読取装置１１００の識別子を格納する装置識別子格納部を別途設け、識別子格納部に格納された識別子を利用者識別情報及び利用者情報に付加するようにする。記録媒体読取装置１１００の識別子が付加された利用者情報の構成例を図３（ｂ）に示す。
【００４０】
図３（ｂ）において、利用者情報は、列３３１は、登録された装置を示し、列３３２は、登録された利用者を示している。利用者情報は、行３１１、行３１２及び行３１３にそれぞれ収容された第１の装置を使用する第１の利用者、第１の装置を使用する第２の利用者及び第１の装置を使用する第２の利用者を示す情報によって構成されている。この例では、第１の装置を使用する第１の利用者、第１の装置を使用する第２の利用者及び第１の装置を使用する第２の利用者は、許可利用者であり、その他の利用者は許可利用者ではないことを示している。
【００４１】
すなわち、利用者識別情報が第１の装置を使用する第１の利用者を示す場合には、利用者判定の結果は、利用者が許可利用者であると示し、利用者識別情報が第２の装置を使用する第１の利用者を示す場合には、利用者判定の結果は、利用者が許可利用者でないと示す。
【００４２】
同様に、利用者情報は、記録媒体読取装置１１００の識別子のみから構成するようにしてもよい。利用者情報を記録媒体読取装置１１００の識別子のみから構成した場合の形態は、図３（ａ）及び図３（ｂ）における説明に基づいて容易に実施できるため説明は省略する。
【００４３】
また、利用者に権限を付与する権限付与部及び利用者識別情報に基づいて権限を取得する権限取得部を別途設け、利用者情報は、利用者に付与した権限単位に構成することも可能である。利用者情報を権限単位に構成した場合の形態は、図３（ａ）及び図３（ｂ）における説明に基づいて容易に実施できるため説明は省略する。
【００４４】
利用者判定部１１３０によって出力された利用者判定の結果は、データ読取制御部１１４０に入力されるようになっており、データ読取制御部１１４０は、入力された利用者判定の結果に利用者が許可利用者であると示されている場合には、データ読取部１１５０に記録画像２２０を読取らせる制御を示す読取制御信号を生成し、利用者が許可利用者でないと示されている場合には、データ読取部１１５０に記録画像２２０を読取らせない制御を示す読取制御信号を生成し、生成された読取制御信号をデータ読取部１１５０に出力するようになっている。
【００４５】
データ読取制御部１１４０によって出力された読取制御信号は、データ読取部１１５０に入力されるようになっており、データ読取部１１５０は、入力された読取制御信号に応じて記録画像２２０を読取って読取りデータ、すなわち画像データを生成し、生成された画像データを画像記録手段１２００に出力するようになっている。
なお、データ読取部１１５０は、例えば光学的に記録画像２２０を読取るスキャナ等によって構成される。
【００４６】
データ読取部１１５０によって出力された画像データは、画像記録手段１２００に入力されるようになっており、画像記録手段１２００は、入力された画像データに基づいて記録対象であるデータ記録体のデータ記録媒体に画像を記録するようになっている。
【００４７】
また、画像記録手段１２００は、利用者情報読取部１１１０によって読取られた利用者識別情報を記録対象となるデータ記録体の情報格納媒体に格納するようになっている。
【００４８】
次に、画像形成装置１０００の動作をフローチャートに基づいて説明する。
図３は、画像形成装置１０００の動作を示すフローチャートである。
【００４９】
まず、情報格納媒体２３０に格納された利用者情報は、利用者情報読取部１１１０によって読取られる（Ｓ４１０）。
次に、利用者識別情報は、識別情報取得部１１２０によって取得される（Ｓ４１１）。
【００５０】
次に、利用者情報及び利用者識別情報に基づいて利用者が許可利用者か否かの利用者判定が利用者判定部１１３０によって行われる（Ｓ４１２）。
利用者判定の結果に利用者が許可利用者であると示されている場合には、データ読取部１１５０は、データ読取制御部１１４０によってデータを読取るように制御され（Ｓ４１３）、データ記録媒体２１０に記録された記録画像２２０は、データ読取部１１５０によって読取られる（Ｓ４１４）。
【００５１】
一方、利用者判定の結果に利用者が許可利用者でないと示されている場合には、データ読取部１１５０は、データ読取制御部１１４０によってデータを読取らないように制御される（Ｓ４１５）。
【００５２】
データ読取部１１５０によって読取られた読取りデータ、すなわち画像データに基づいて、画像記録手段１２００によって記録対象となるデータ記録体のデータ記録媒体に画像が記録され（Ｓ４３０）、利用者情報読取部１１１０によって読取られた利用者情報が、記録対象となるデータ記録体の情報格納媒体に格納される（Ｓ４３１）。
【００５３】
以上に説明した、画像形成装置１０００は、情報格納媒体２３０によって構成されていないデータ記録体を複写元とする場合には、利用者判定時に利用者が許可利用者であるとして複写を許可してもよいし、利用者判定時に利用者が許可利用者でないとして複写を禁止してもよい。さらに、情報格納媒体２３０によって構成されていないデータ記録体を複写元とする場合には、画像形成装置１０００に利用者を許可利用者とするか否かを設定させるスイッチ部を設けてもよい。
【００５４】
このように、記録媒体読取装置１１００によれば、データ記録体を構成する情報格納媒体に格納された利用者情報に基づいてデータ記録媒体に記録されたデータの読取りが禁止されるか否かが判定されるため、データの読取りが禁止されたデータ記録媒体に記録されたデータを読取る必要がある場合にも対処できる。
【００５５】
（第２の実施の形態）
図５は、本発明の第２の実施の形態に係る記録媒体読取装置の構成を示すブロック図である。以下に説明する本発明の第２の実施の形態は、データ記録体２００の記録画像２２０を記録対象のデータ記録体に複写する複写機等の画像形成装置５０００を記録媒体読取装置５１００によって構成した例である。
【００５６】
画像形成装置５０００は、データ記録体２００から記録画像２２０を読取る記録媒体読取装置５１００と、読取られた画像データに基づいて記録対象となるデータ記録体に画像を記録する画像記録手段１２００と、から構成されている。
【００５７】
記録媒体読取装置５１００は、データ記録体２００から記録画像２２０を読取る装置であり、利用者情報読取部１１１０と、識別情報取得部１１２０と、利用者判定部５１３０と、データ読取制御部１１４０と、データ読取部５１５０と、データ制御部５１６０と、データ改変部５１７０と、から構成されている。
【００５８】
なお、本発明の第２の実施の形態に係る画像形成装置５０００においては、本発明の第１の実施の形態に係る画像形成装置１０００の構成要素と同一の構成要素に本発明の第１の実施の形態に係る画像形成装置１０００の構成要素と同一の符号を付して、その説明を省略する。
【００５９】
利用者情報読取部１１１０によって出力された利用者情報及び識別情報取得部１１２０によって出力された利用者識別情報は、利用者判定部５１３０に入力されるようになっており、利用者判定部５１３０は、入力された利用者情報に利用者識別情報が含まれているか否かに基づいて利用者が記録画像２２０の読取りを許可する許可利用者か否かの利用者判定を行い、利用者判定の結果をデータ読取制御部１１４０に出力するようになっている。
【００６０】
さらに、利用者判定部５１３０は、利用者判定を行い利用者が許可利用者であると判定された場合には、利用者識別情報に基づいて利用者情報からデータ読取部１１５０によって読取られた画像データを制御するための出力制御情報を抽出し、抽出された出力制御情報をデータ制御部５１６０に出力するようになっている。
【００６１】
図６は、利用者情報読取部１１１０が読込んだ利用者情報の構成例を示す概念図であり、利用者情報が、テーブル形式で管理されている例である。
図６（ａ）において、利用者情報は、行６２１、行６２２及び行６２３にそれぞれ収容された第１の利用者、第２の利用者及び第３の利用者を示す情報によって構成されている。この例では、第１の利用者、第２の利用者及び第３の利用者は、記録画像２２０の読取りを許可する許可利用者であり、その他の利用者は、許可利用者ではないことを示している。
【００６２】
また、図６（ａ）において、利用者情報は、列６１０に示される各許可利用者に対応した出力制御情報を示す列６１１によって構成されている。この例では、第１の利用者の使用によって読取られた画像データは、改変されず、第２の利用者又は第３の利用者の使用によって読取られた画像データは、色情報が改変されることを示している。
【００６３】
なお、利用者情報は、記録媒体読取装置５１００の識別子を含ませるようにしてもよいし、記録媒体読取装置５１００の識別子のみから構成するようにしてもよい。また、利用者に付与した権限単位に構成するようにしてもよい。このように利用者情報を構成した場合のそれぞれの形態は、本発明の第１の実施の形態において説明した図３（ａ）及び図３（ｂ）に基づいて容易に実施できるため説明は省略する。
【００６４】
データ読取制御部１１４０によって出力された読取制御信号は、データ読取部５１５０に入力されるようになっており、データ読取部５１５０は、入力された読取制御信号に応じて記録画像２２０を読取って読取りデータ、すなわち画像データを生成し、生成された画像データをデータ改変部５１７０に出力するようになっている。
なお、データ読取部５１５０は、例えば光学的に記録画像２２０を読取るスキャナ等によって構成される。
【００６５】
利用者判定部５１３０によって出力された出力制御情報は、データ制御部５１６０に入力されるようになっており、データ制御部５１６０は、入力された出力制御情報に応じて画像データを改変させるための改変制御信号を生成し、生成された改変制御信号をデータ改変部５１７０に出力するようになっている。
【００６６】
データ読取部５１５０によって出力された画像データ及びデータ制御部５１６０によって出力された改変制御信号は、データ改変部５１７０に入力されるようになっており、データ改変部５１７０は、入力された改変制御信号に応じて画像データを改変し、改変された画像データを画像記録手段１２００に出力するようになっている。
【００６７】
ここで、改変制御信号に画像データの色情報の改変が示されている場合には、データ改変部５１７０は、入力された画像データの色情報を改変し、改変された画像データを画像記録手段１２００に出力するようになっている。
【００６８】
また、改変制御信号に画像データのサイズの改変が示されている場合には、データ改変部５１７０は、入力された画像データのサイズを改変し、改変された画像データを画像記録手段１２００に出力するようになっている。
【００６９】
また、改変制御信号に画像データの改変を行わないと示されている場合には、データ改変部５１７０は、入力された画像データをそのまま画像記録手段１２００に出力するようになっている。
【００７０】
データ改変部５１７０における画像データの改変は、改変された画像データに基づいて画像記録手段１２００によって記録される画像と記録画像２２０とが目視で識別可能な範囲で行われる。
【００７１】
例えば、データ改変部５１７０における画像データの色情報の改変は、カラー画像をグレースケール画像に改変するようにしてもよいし、白黒画像に２値化するようにしてもよい。また、データ改変部５１７０における画像データのサイズの改変は、所定の割合で画像全体を拡縮するようにしてもよいし、画像データの一部を削るようにしてもよい。
【００７２】
次に、画像形成装置５０００の動作をフローチャートに基づいて説明する。
図７は、画像形成装置５０００の動作を示すフローチャートである。なお、画像形成装置５０００の動作において、本発明の第１の実施の形態で説明した画像形成装置１０００の動作におけるステップと同様のステップには、同一の符号が付してある。
【００７３】
まず、情報格納媒体２３０に格納された利用者情報は、利用者情報読取部１１１０によって読取られる（Ｓ４１０）。
次に、利用者識別情報は、識別情報取得部１１２０によって取得される（Ｓ４１１）。
【００７４】
次に、利用者情報及び利用者識別情報に基づいて利用者が許可利用者か否かの利用者判定が利用者判定部５１３０によって行われる（Ｓ４１２）。
利用者判定の結果に利用者が許可利用者であると示されている場合には、データ読取部５１５０は、データ読取制御部１１４０によってデータを読取るように制御され（Ｓ４１３）、データ記録媒体２１０に記録された記録画像２２０は、データ読取部５１５０によって読取られる（Ｓ４１４）。
【００７５】
一方、利用者判定の結果に利用者が許可利用者でないと示されている場合には、データ読取部５１５０は、データ読取制御部１１４０によってデータを読取らないように制御される（Ｓ４１５）。
【００７６】
次に、利用者識別情報に基づいて利用者情報から出力制御情報が利用者判定部５１３０によって抽出され、データ読取部５１５０によって読取られた読取りデータ、すなわち画像データを改変するか否かが利用者判定部５１３０によって判定される（Ｓ７２０）。
【００７７】
利用者判定部５１３０によって画像データを改変すると判定された場合には、データ改変部５１７０によって画像データが改変され（Ｓ７２１）、改変された画像データに基づいて画像記録手段１２００によって記録対象となるデータ記録体のデータ記録媒体に画像が記録される（Ｓ４３０）。
【００７８】
一方、利用者判定部５１３０によって画像データを改変しないと判定された場合には、データ読取制御部１１４０によって読取られた画像データに基づいて、画像記録手段１２００によって記録対象となるデータ記録体のデータ記録媒体に画像が記録される（Ｓ４３０）。
【００７９】
次に、利用者情報読取部１１１０によって読取られた利用者情報が、記録対象となるデータ記録体の情報格納媒体に格納される（Ｓ４３１）。ここで、利用者判定部５１３０によって画像データを改変すると判定された場合には、利用者情報を記録対象となるデータ記録体の情報格納媒体に格納しないようにしてもよい。
【００８０】
以上に説明した、画像形成装置５０００は、情報格納媒体２３０によって構成されていないデータ記録体を複写元とする場合には、利用者判定時に利用者が許可利用者であるとして複写を許可してもよいし、利用者判定時に利用者が許可利用者でないとして複写を禁止してもよい。さらに、情報格納媒体２３０によって構成されていないデータ記録体を複写元とする場合には、画像形成装置５０００に利用者を許可利用者とするか否かを設定させるスイッチ部を設けてもよい。
【００８１】
このように、記録媒体読取装置５１００によれば、データ記録体を構成する情報格納媒体に格納された利用者情報に基づいてデータ記録媒体に記録されたデータの読取が禁止されるか否かが判定されるため、データの読取りが禁止されたデータ記録媒体に記録されたデータを読取る必要がある場合にも対処できる。
【００８２】
また、記録媒体読取装置５１００によれば、データの読取りが禁止されたデータ記録媒体に記録されたデータを読取って記録する必要がある場合には、データ記録媒体から読取られたデータを改変したデータの複写を許可するため、複写元のデータ記録媒体と識別可能にデータを記録することができる。
【００８３】
（第３の実施の形態）
図５は、本発明の第３の実施の形態に係る記録媒体読取装置の構成を示すブロック図である。以下に説明する本発明の第３の実施の形態は、データ記録体２００の記録画像２２０を読取って生成された画像データを出力する画像形成装置８０００を記録媒体読取装置８１００によって構成した例である。
【００８４】
画像形成装置８０００は、データ記録体２００から記録画像２２０を読取る記録媒体読取装置８１００と、読取られた画像データに基づいて記録対象となるデータ記録体に画像を記録する画像記録手段１２００と、読取られた画像データに基づいて画像を表示する画像表示手段８３００と、読取られた画像データを配信する画像配信手段８４００と、から構成されている。
【００８５】
記録媒体読取装置８１００は、データ記録体２００から記録画像２２０を読取る装置であり、利用者情報読取部１１１０と、識別情報取得部１１２０と、利用者判定部８１３０と、データ読取制御部１１４０と、データ読取部８１５０と、データ制御部８１６０と、データ改変部８１７０と、操作部８１８０と、データ格納部８１９０と、から構成されている。
【００８６】
なお、本発明の第３の実施の形態に係る複画像形成装置８０００においては、本発明の第２の実施の形態に係る画像形成装置５０００の構成要素と同一の構成要素に本発明の第２の実施の形態に係る画像形成装置５０００の構成要素と同一の符号を付して、その説明を省略する。
【００８７】
利用者情報読取部１１１０によって出力された利用者情報及び識別情報取得部１１２０によって出力された利用者識別情報は、利用者判定部８１３０に入力されるようになっており、利用者判定部８１３０は、入力された利用者情報に利用者識別情報が含まれているか否かに基づいて利用者が記録画像２２０の読取りを許可する許可利用者か否かの利用者判定を行い、利用者判定の結果をデータ読取制御部１１４０に出力するようになっている。
【００８８】
さらに、利用者判定部８１３０は、利用者判定を行い利用者が許可利用者であると判定された場合には、利用者識別情報に基づいて利用者情報からデータ読取部１１５０によって読取られた画像データを制御するための出力制御情報を抽出し、抽出された出力制御情報をデータ制御部８１６０に出力するようになっている。
【００８９】
図６は、利用者情報読取部１１１０が読込んだ利用者情報の構成例を示す概念図であり、利用者情報が、テーブル形式で管理されている例である。
図６（ｂ）において、利用者情報は、行６４１、行６４２及び行６４３にそれぞれ収容された第１の利用者、第２の利用者及び第３の利用者を示す情報によって構成されている。この例では、第１の利用者、第２の利用者及び第３の利用者は、記録画像２２０の読取りを許可する許可利用者であり、その他の利用者は、許可利用者ではないことを示している。
【００９０】
また、図６（ｂ）において、利用者情報は、列６３０に示される各許可利用者に対応した出力制御情報を示す列６３１、列６３２及び列６３３によって構成されている。列６３１は、画像を表示するときに参照される出力制御情報を示し、列６３２は、画像を複写するときに参照される出力制御情報を示し、列６３３は、画像データを配信するときに参照される出力制御情報を示している。
【００９１】
この例では、第１の利用者は、読取られた画像データに基づいた画像の表示（以下、画像表示と略す。）、読取られた画像データに基づいた画像の記録（以下、画像記録と略す。）及び読取った画像データの配信（以下、画像配信と略す）の全てが許可されていることを示している。
【００９２】
また、　この例では、第２の利用者は、画像表示及び画像記録が許可されているが、画像配信する場合には、画像データの色情報が改変されることを示し、第３の利用者は、画像表示が許可されているが、画像記録する場合には、画像データの色情報が改変され、画像配信が禁止されていることを示している。
【００９３】
なお、利用者情報は、記録媒体読取装置８１００の識別子を含ませるようにしてもよいし、記録媒体読取装置８１００の識別子のみから構成するようにしてもよい。また、利用者に付与した権限単位に構成するようにしてもよい。このように利用者情報を構成した場合のそれぞれの形態は、本発明の第１の実施の形態において説明した図３（ａ）及び図３（ｂ）に基づいて容易に実施できるため説明は省略する。
【００９４】
データ読取制御部１１４０によって出力された読取制御信号は、データ読取部８１５０に入力されるようになっており、データ読取部８１５０は、入力された読取制御信号に応じて記録画像２２０を読取って読取りデータ、すなわち画像データを生成し、生成された画像データをデータ格納部８１９０に格納するようになっている。
なお、データ読取部８１５０は、例えば光学的に記録画像２２０を読取るスキャナ等によって構成される。
【００９５】
データ格納部８１９０は、データ読取部８１５０によって読取られた画像データを格納するようになっている。データ格納部８１９０に格納された画像データは、データ改変部８１７０によって取得されるようになっている。
【００９６】
操作部８１８０は、データ読取部８１５０によって読取られた画像データの出力先として画像表示する画像表示手段８３００、画像記録する画像記録手段１２００、及び画像配信する画像配信８４００を選択させ、選択された出力先を示す出力先情報をデータ制御部８１６０に出力するようになっている。
【００９７】
利用者判定部８１３０によって出力された出力制御情報及び操作部８１８０によって出力された出力先情報は、データ改変部８１７０に入力されるようになっており、データ改変部８１７０は、入力された出力制御情報から出力先情報に示される出力先に対応した出力制御情報を抽出し、抽出された出力制御情報に基づいて画像データを改変させるための改変制御信号を生成し、生成された改変制御信号と入力された出力先情報とをデータ改変部８１７０に出力するようになっている。
【００９８】
データ制御部８１６０によって出力された改変制御信号及び出力先情報は、データ改変部８１７０に入力されるようになっており、データ改変部８１７０は、データ格納部８１９０に格納された画像データを取得し、取得された画像データを入力された改変制御信号に応じて改変し、改変された画像データを出力先情報に示された出力先、すなわち画像記録手段１２００、画像表示手段８３００及び画像配信手段８４００のいずれかに出力するようになっている。
【００９９】
ここで、データ改変部８１７０における画像データの改変は、本発明の第２の実施の形態において説明した記録媒体読取装置５１００のデータ改変部５１７０における画像データの改変と同一である。このため、データ改変部８１７０における画像データの改変については、説明を省略する。
【０１００】
データ改変部８１７０によって出力された画像データは、画像記録手段１２００、画像表示手段８３００及び画像配信手段８４００のいずれかに入力されるようになっている。
画像記録手段１２００は、入力された画像データに基づいて記録対象であるデータ記録体のデータ記録媒体に画像を記録するようになっている。
【０１０１】
また、画像記録手段１２００は、利用者情報読取部１１１０によって読取られた利用者識別情報を記録対象となるデータ記録体の情報格納媒体に格納するようになっている。
画像表示手段８３００は、ディスプレイ装置等によって構成されており、入力された画像データに基づいて画像を表示するようになっている。
【０１０２】
画像配信手段８４００は、図示しないネットワーク等に接続されており、入力された画像データをネットワークに接続された配信先の装置に画像を配信するようになっている。
なお、画像配信手段８４００は、利用者情報読取部１１１０によって読取られた利用者識別情報を画像データと共に、ネットワークに接続された配信先の装置に画像を配信するようにしてもよい。
【０１０３】
次に、画像形成装置８０００の動作をフローチャートに基づいて説明する。
図９は、画像形成装置８０００の画像読取り動作を示すフローチャートである。なお、画像形成装置８０００の画像読取り動作において、本発明の第２の実施の形態で説明した画像形成装置５０００の動作におけるステップと同様のステップには、同一の符号が付してある。
【０１０４】
まず、情報格納媒体２３０に格納された利用者情報は、利用者情報読取部１１１０によって読取られる（Ｓ４１０）。
次に、利用者識別情報は、識別情報取得部１１２０によって取得される（Ｓ４１１）。
【０１０５】
次に、利用者情報及び利用者識別情報に基づいて利用者が許可利用者か否かの利用者判定が利用者判定部８１３０によって行われる（Ｓ４１２）。
利用者判定の結果に利用者が許可利用者であると示されている場合には、データ読取部８１５０は、データ読取制御部１１４０によってデータを読取るように制御され（Ｓ４１３）、データ記録媒体２１０に記録された記録画像２２０は、データ読取部８１５０によって読取られ（Ｓ４１４）、読取られた画像データは、データ格納部８１９０に格納される（Ｓ９１６）。
【０１０６】
一方、利用者判定の結果に利用者が許可利用者でないと示されている場合には、データ読取部８１５０は、データ読取制御部１１４０によってデータを読取らないように制御される（Ｓ４１５）。
【０１０７】
図１０は、画像形成装置８０００の画像出力動作を示すフローチャートである。なお、画像形成装置８０００の画像出力動作において、本発明の第２の実施の形態で説明した画像形成装置５０００の動作におけるステップと同様のステップには、同一の符号が付してある。
【０１０８】
まず、操作部８１８０によって画像データの出力先が指定される（Ｓ９０１）。次に、データ改変部８１７０によって画像データがデータ格納部８１９０から取得される（Ｓ９０２）。
【０１０９】
次に、利用者識別情報に基づいて利用者情報から出力制御情報が利用者判定部８１３０によって抽出され、抽出された出力制御情報から操作部８１８０によって指定された出力先に対応した出力制御情報がデータ制御部８１６０によってさらに抽出され、抽出された出力先制御情報に基づいてデータ読取部８１５０によって読取られた読取りデータ、すなわち画像データを改変するか否かがデータ制御部８１６０によって判定される（Ｓ７２０）。
【０１１０】
データ制御部８１６０によって画像データを改変すると判定された場合には、データ改変部８１７０によって画像データが改変される（Ｓ７２１）。
次に、操作部８１８０によって画像記録すると指定された場合（Ｓ９２２）には、画像データに基づいて画像記録手段１２００によって記録対象となるデータ記録体のデータ記録媒体に画像が記録される（Ｓ４３０）。
【０１１１】
次に、利用者情報読取部１１１０によって読取られた利用者情報が、記録対象となるデータ記録体の情報格納媒体に格納される（Ｓ４３１）。ここで、データ制御部８１６０によって画像データを改変すると判定された場合には、利用者情報を記録対象となるデータ記録体の情報格納媒体に格納しないようにしてもよい。
【０１１２】
一方、操作部８１８０によって画像表示すると指定された場合（Ｓ９２３）には、画像データに基づいて画像表示手段８３００によって画像が表示される（Ｓ９３２）。
一方、操作部８１８０によって画像配信すると指定された場合には、データ改変部８１７０によって画像データが改変される（Ｓ７２１）。
【０１１３】
次に、操作部８１８０によって画像記録すると指定された場合（Ｓ９２４）には、画像データに基づいて画像配信手段８４００によって画像データがネットワークに接続された配信先の装置に配信される（Ｓ９３３）。
【０１１４】
次に、利用者情報読取部１１１０によって読取られた利用者情報が、ネットワークに接続された配信先の装置に配信される（Ｓ９３４）。ここで、データ制御部８１６０によって画像データを改変すると判定された場合には、利用者情報をネットワークに接続された配信先の装置に配信しないようにしてもよい。
【０１１５】
以上に説明した、画像形成装置８０００は、情報格納媒体２３０によって構成されていないデータ記録体を読取り対象とする場合には、利用者判定時に利用者が許可利用者であるとして読取りを許可してもよいし、利用者判定時に利用者が許可利用者でないとして読取りを禁止してもよい。さらに、情報格納媒体２３０によって構成されていないデータ記録体を読取り元とする場合には、画像形成装置８０００に利用者を許可利用者とするか否かを設定させるスイッチ部を設けてもよい。
【０１１６】
このように、記録媒体読取装置８１００によれば、データ記録体を構成する情報格納媒体に格納された利用者情報に基づいてデータ記録媒体に記録されたデータの読取が禁止されるか否かが判定されるため、データの読取りが禁止されたデータ記録媒体に記録されたデータを読取る必要がある場合にも対処できる。
【０１１７】
また、記録媒体読取装置８１００によれば、データの読取りが禁止されたデータ記録媒体に記録されたデータを読取って記録、表示又は配信する必要がある場合には、データ記録媒体から読取られたデータを改変したデータの記録、表示又は配信を許可するため、読取り元のデータ記録媒体と識別可能にデータを記録、表示又は配信することができる。
【０１１８】
以上に説明した、本発明の第１の実施の形態から第３の実施の形態までの記録媒体読取装置は、データ記録体の情報格納媒体から読取った利用者情報と利用者識別情報とに基づいて利用者判定を行うと説明したが、情報格納媒体には、利用者情報に代えてデータ記録体の種別が格納されているものとし、記録媒体読取装置には、利用者情報がデータ記録体の種別毎に格納された利用者情報格納部及びデータ記録体の種別に基づいて利用者情報格納部から利用者情報を選択する利用者情報選択部を別途設け、利用者判定は、利用者情報選択部によって選択された利用者情報と利用者識別情報とに基づいて行うようにしてもよい。
【０１１９】
なお、本発明の第１の実施の形態から第３の実施の形態までの記録媒体読取装置において、記録媒体読取装置を制御させるためのプログラムを生成し、生成されたプログラムを実行するコンピュータによって、前述した記録媒体読取装置の動作を制御させることも可能である。
【０１２０】
【発明の効果】
本発明によれば、データの読取りが禁止されたデータ記録媒体に記録されたデータを読取る必要がある場合に対処できる記録媒体読取装置、記録媒体読取制御プログラム及び情報格納媒体を提供することができる。
【図面の簡単な説明】
【図１】本発明の第１の実施の形態に係る画像形成装置の構成を示すブロック図である。
【図２】本発明に係るデータ記録体の概略を示す構成図である。
【図３】本発明の第１の実施の形態に係る利用者情報の構成例を示す概念図である。
【図４】本発明の第１の実施の形態に係る画像形成装置の動作を示すフローチャートである。
【図５】本発明の第２の実施の形態に係る画像形成装置の構成を示すブロック図である。
【図６】本発明の第２の実施の形態及び本発明の第３の実施の形態に係る利用者情報の構成例を示す概念図である。
【図７】本発明の第２の実施の形態に係る画像形成装置の動作を示すフローチャートである。
【図８】本発明の第３の実施の形態に係る画像形成装置の構成を示すブロック図である。
【図９】本発明の第３の実施の形態に係る画像形成装置の画像読取り動作を示すフローチャートである。
【図１０】本発明の第３の実施の形態に係る画像形成装置の画像出力動作を示すフローチャートである。
【符号の説明】
２００、２５０　データ記録体
２１０、２５１　データ記録媒体
２２０　記録画像
２３０、２５２　情報格納媒体
３１１、３１２、３１３、３２１、３２２、３２３、６２１、６２２、６２３、６４１、６４２、６４３　行
３３１、３３２、６１０、６１１、６３０、６３１、６３２、６３３　列
１０００、５０００、８０００　画像形成装置
１１００、５１００、８１００　記録媒体読取装置
１１１０　利用者情報読取部
１１２０　識別情報取得部
１１３０、５１３０、８１３０　利用者判定部
１１４０　データ読取制御部
１１５０、５１５０、８１５０　データ読取部
１２００　画像記録手段
５１６０、８１６０　データ制御部
５１７０、８１７０　データ改変部
８１８０　操作部
８１９０　データ格納部
８３００　画像表示手段
８４００　画像配信手段
【図１】
2004078666.tif 000003
【図２】
2004078666.tif 000004
【図３】
2004078666.tif 000005
【図４】
2004078666.tif 000006
【図５】
2004078666.tif 000007
【図６】
2004078666.tif 000008
【図７】
2004078666.tif 000009
【図８】
2004078666.tif 000010
【図９】
2004078666.tif 000011
【図１０】
2004078666.tif 000012